【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
コンピュータシステムのディスプレイ画面の上に、患者への検査の可能な治療のリストを表示するステップと、
可能な治療のリストにおける治療のセットを受け取るための前記コンピュータシステムの前記ディスプレイ画面の上に、領域を表示するステップと、
前記可能な治療のリストから治療プランを含む治療の順序付けられたリストを、前記コンピュータシステムがユーザから受け取るステップであって、前記順序付けられたリストは、前記領域において受け取られ、第１の治療と第２の治療とを含む、ステップと、
前記第１の治療または前記第２の治療が正しく、正しい順序に置かれているか否かを前記コンピュータシステムが決定するステップと、
前記第１の治療は正しいが、適切な治療シーケンスに対して前記順序付けられたリストにおいて正しくない順序であるかを前記コンピュータシステムが決定するステップと、
前記第２の治療は正しいが、前記適切な治療シーケンスに対して前記順序付けられたリストにおいて正しくない順序であるかを前記コンピュータシステムが決定するステップと、
前記コンピュータシステムのディスプレイ画面の上に、前記第１の治療は正しいが、適切な治療シーケンスに対して前記順序付けられたリストにおいて正しくない位置にあることを示す第１のステータスと、前記第２の治療は正しいが、前記適切な治療シーケンスに対して前記順序付けられたリストにおいて正しくない位置にあることを示す第２のステータスと、を表示するステップであって、前記第１のステータスと前記第２のステータスとが同時に表示される、ステップと、を含む検査表示の方法。
【請求項２】
前記検査は、歯科専門家のための診察であり、
前記治療は、歯科治療である、請求項１に記載の方法。
【請求項３】
前記ユーザが、前記可能な治療のリストから前記領域へ治療をドラッギング、ドロッピングした結果として、前記領域は、処置の前記順序付けられたリストを受け取る、請求項１に記載の方法。
【請求項４】
受け取られた治療の各々のステータスが、該受け取られた治療の画像の上で、表示される、請求項１に記載の方法。
【請求項５】
前記ステータス１つ以上が、前記受け取られた治療のそれぞれの画像の上で色を用いて、表示される、請求項４に記載の方法。
【請求項６】
前記ステータス１つ以上が、前記受け取られた可能な治療のそれぞれの画像の上でシンボルを用いて表示される、請求項４に記載の方法。
【請求項７】
受け取られた治療の前記順序付けられたリストが正しいか、また、正しい順序を有するかどうかに基づいて、第１のスコアを計算するステップを更に含む請求項１に記載の方法。
【請求項８】
前記領域が、前記可能な治療のリストから治療の順序付けられた第２のリストを受け取るステップと、
前記治療の順序付けられた第２のリストが正しいか、また、正しい順序を有するかどうかに基づいて、第２のスコアを計算するステップと、
前記第１のスコアと前記第２のスコアとに基づいて最終スコアを計算するステップと、をさらに含む請求項７に記載の方法。
【請求項９】
前記第１のスコアを計算するステップは、前記受け取られた可能な治療の各々が、正しいか、また、正しい順序であるかどうかを決定するステップを含む、請求項７に記載の方法。
【請求項１０】
前記第１のスコアの第１のパーセンテージは、前記正しい治療が受け取られるかどうかに基づいており、
前記第１のスコアの第２のパーセンテージは、前記受け取られた治療が正しい順序を有するかどうかに基づいている、請求項９に記載の方法。
【請求項１１】
前記可能な治療のリストを表示する前に、データベースに格納された治療のライブラリを提供するステップと、
オーサーから、前記検査において表示するために、前記ライブラリからの治療の選択を受け取るステップと、を更に含む請求項１に記載の方法。
【請求項１２】
コンピュータシステムのプロセッサに、歯科検査を提供するためのオペレーションを実行させるコンピュータ・プログラムであって、
該オペレーションは、
前記コンピュータシステムのディスプレイ画面の上に、患者への検査の可能な治療のリストを表示するステップと、
可能な治療のリストにおける治療のセットを受け取るための前記コンピュータシステムの前記ディスプレイ画面の上に、領域を表示するステップと、
前記可能な治療のリストから治療プランを含む治療の順序付けられたリストを、前記コンピュータシステムがユーザから受け取るステップであって、治療の前記順序付けられたリストは前記領域において受け取られ、第１の治療と第２の治療とを含む、ステップと、
前記第１の治療または前記第２の治療が正しく、また、正しい順序であるかどうかを、前記コンピュータシステムが決定するステップと、
前記第１の治療は正しいが、適切な治療シーケンスに対して前記順序付けられたリストにおいて正しくない順序であるかを前記コンピュータシステムが決定するステップと、
前記第２の治療は正しいが、前記適切な治療シーケンスに対して前記順序付けられたリストにおいて正しくない位置にあるかを前記コンピュータシステムが決定するステップと、
前記コンピュータシステムのディスプレイ画面の上に、前記第１の治療は正しいが、適切な治療シーケンスに対して前記順序付けられたリストにおいて正しくない位置にあることを示す第１のステータスと、前記第２の治療は正しいが、前記適切な治療シーケンスに対して前記順序付けられたリストにおいて正しくない位置にあることを示す第２のステータスと、を表示するステップであって、前記第１のステータスと前記第２のステータスとが同時に表示される、ステップと、を含む、コンピュータ・プログラム。
【請求項１３】
前記コンピュータシステムが１つ以上のプロセッサを備える、請求項１２のコンピュータ・プログラム。
【請求項１４】
ディスプレイ画面の上に、治療マップを表示するステップであって、該治療マップは口の複数の歯を含み、歯の各々は、該治療マップのラインにより区分されている複数の領域を有し、該ラインは、歯の４つの側面の各々と、該歯の上面を含む該歯のセクションを表し、該治療マップは、該口における各歯を含む、ステップと、
治療マップの上の歯の領域に適用するために、選択可能である可能な治療を表示するステップであって、該可能な治療は、第１の治療を含む、ステップと、
ユーザから前記第１の治療の選択を受け取るステップと、
前記第１の治療を適用するために第１の歯の特定の領域の選択を受け取るステップと、
プロセッサを介して、前記第１の治療を適用するために前記第１の歯の前記特定の領域の前記選択を、基準応答と比較するステップであって、該基準応答は、前記第１の治療は前記第１の歯の前記特定の領域に適用すべきものか否かを示す、ステップと、
該比較に基づいて、前記ユーザの応答のスコアを決定するステップと、を含む歯科検査を提供する方法。
【請求項１５】
前記基準応答が、前記第１の歯に適用される前記第１の治療が、理想的であるか、または、許容不可であるのかを特定する、請求項１４に記載の方法。
【請求項１６】
前記基準応答が、前記第１の歯に適用される前記第１の治療が、理想的であるか、許容可であるか、または、許容不可であるのかを特定する、請求項１４に記載の方法。
【請求項１７】
許容不可である治療は、スコアを減じ、
理想的な治療を有しないことは、前記スコアを減じる、請求項１６に記載の方法。
【請求項１８】
許容不可である治療は、スコアを減じ、
理想的な治療を有することは、スコアを増す、請求項１６に記載の方法。
【請求項１９】
前記可能な治療を表示する前に、データベースに格納された治療のライブラリを提供するステップであって、前記第１の治療の前記選択は、前記ライブラリから提供される、ステップを更に含む請求項１４に記載の方法。
【請求項２０】
複数の識別子を含む検査情報を受け取るステップであって、該複数の識別子は検査に対応する第１の識別子と、該検査に使用されるケース・ヒストリ・データに対応する第２の識別子と、を含み、該検査は、１つ以上の質問と項目選択を含む、ステップと、
ケース・ヒストリ・オブジェクトを識別するために、前記第２の識別子でデータベースをアクセスするステップと、
前記ケース・ヒストリ・オブジェクトに結びついた第３の識別子を識別するステップであって、該第３の識別子は、前記ケース・ヒストリ・オブジェクトのケース・ヒストリ・コンテンツをどのように表示するかを規定する、ステップと、
コンピュータシステムのディスプレイ画面の上に、前記第３の識別子により識別された前記検査を表示するステップと、
前記コンピュータシステムにより、前記ディスプレイ画面の上に、前記ケース・ヒストリ・コンテンツを表示し、治療の選択を受け取るための検査領域を表示するステップと、
前記コンピュータシステムにより、前記ディスプレイ画面の上に、前記検査領域に隣接する選択要素のグループを表示するステップであって、該選択要素のグループと前記検査領域とは、同時に前記ディスプレイ画面の上に表示される、ステップと、
前記コンピュータシステムにより、前記選択要素のグループの１つの選択要素を選択するユーザ入力を表示するステップと、
前記コンピュータシステムにより、前記選択された選択要素に結びついた前記ケース・ヒストリ・コンテンツを表示するステップであって、前記検査領域と前記ケース・ヒストリ・コンテンツの表示は、前記コンピュータシステムにより生成される、ステップと、を含む、テストを提供する方法。
【請求項２１】
前記テストは、歯科専門家のための試験であり、
前記治療は、歯科治療である、請求項２０に記載の方法。
【請求項２２】
前記治療は、プロセッサによりユーザから受け取られ、該プロセッサは、前記ディスプレイ画面と結合している、請求項２０に記載の方法。
【請求項２３】
クローズボタンの起動に応じて、前記ケース・ヒストリ・データ表示を取り除くステップであって、取り除くことにより、前記検査領域を露にする、ステップを更に含む請求項２０に記載の方法。
【請求項２４】
前記選択に結びついた前記ケース・ヒストリ・コンテンツは、病歴データ、齲蝕活動性とリスク・アセスメント、歯周検査記録データ、歯内治療記録データ、Ｘ線画像と写真画像を含む、請求項２０に記載の方法。
【請求項２５】
前記検査領域は、該検査領域の標示を動的に生成するブラウザを介して表示される、請求項２０に記載の方法。
【請求項２６】
前記可能な治療のリストと前記可能な治療のリストにおける治療のセットを受け取るための前記領域とは、
前記ディスプレイ画面の上に互いに隣り合うように表示される、請求項１に記載の方法。
【請求項２７】
前記複数の識別子の少なくとも１つが、前記検査領域として用いられるレイアウトに対する治療マップを動的に生成するために用いられる、請求項２０に記載の方法。
【請求項２８】
前記複数の識別子のうちの第４の識別子が、
前記検査が位置する特定のページを追跡する、請求項２０に記載の方法。
【請求項２９】
前記可能な治療は、齲蝕、アマルガム充填材、修復治療、フッ素塗布治療、または、ヒアルロン酸注射を含む、請求項１４に記載の方法。
【請求項３０】
前記治療マップは、前記口におけるすべての歯有する顎全体を含む、請求項１４に記載の方法。
【請求項３１】
受け取った治療の前記順序付けられたリストは、さらに、第３の治療を含み、
前記方法は、さらに、
前記第３の治療が正しく、正しい順序に配置されているか否かを前記コンピュータシステムが決定するステップと、
前記第３の治療は正しく、前記適切な治療シーケンスに対して前記順序付けられたリストにおいて正しい位置にあるかを前記コンピュータシステムが決定するステップと、
前記コンピュータシステムのディスプレイ画面の上に、前記第３の治療は正しく、前記適切な治療シーケンスに対して正しい位置にある第３のステータスを表示するステップと、を含む、請求項１に記載の方法。
【請求項３２】
前記ケース・ヒストリ・コンテンツがどのように表示されるかに対して前記第３の識別子にしたがった定義は、ラベルと、ボタン画像と、コンテンツの特定の部分が表示されるシーケンスと、のうちの少なくとも１つのを含む、請求項２０に記載の方法。
【請求項３３】
前記検査は、項目シーケンサ検査である、請求項２０に記載の方法。